(57)【要約】【課題】  素材独自の風合い、軽量性、堅牢性等を損なうことなく、それらを最大限に活かし、また書簡類の取り出し、収納作業等の取り扱いを容易にする。【解決手段】  書簡類Ｌを収納し、出し入れさせる開口部を有する扁平ボックス状の木製の封筒本体１と、開口部を閉塞し、封緘する木製の封緘体１０とから成る。封筒本体１は扁平平面の側部で細長い開口部を備えた収納凹部２を有すると共に、この収納凹部２の開口部内縁に制止突部８を形成して成る。封緘体１０は封筒本体１の収納凹部２における開口部に位置してこれを閉塞すべく開口部形状に沿うように形成した封緘片１１の両端に、収納凹部２の制止突部８に係止する係止部１２を有し、書簡類Ｌを銜え込む保持部１３を設けて成り、保持部１３は、収納凹部２の開口部を閉塞したときの収納凹部２内部に位置する突部状を呈し、書簡類Ｌを銜え込む銜え溝部１４を形成してある。【選択図】      図１
0003113483.tif 000002
【実用新案登録請求の範囲】
【請求項１】
書簡類を収納し、出し入れさせる開口部を有する扁平ボックス状の木製の封筒本体と、開口部を閉塞し、封緘する木製の封緘体とから成り、封筒本体は扁平平面の側部で細長い開口部を備えた収納凹部を有すると共に、この収納凹部の開口部内縁に制止突部を形成して成り、封緘体は封筒本体の収納凹部における開口部に位置してこれを閉塞すべく開口部形状に沿うように形成した封緘片の両端に、収納凹部の制止突部に係止する係止部を有し、書簡類を銜え込む保持部を設けて成ることを特徴とする木製封筒具。
【請求項２】
保持部は、収納凹部の開口部を閉塞したときの収納凹部内部に位置する突部状を呈し、書簡類を銜え込む銜え溝部を形成してある請求項１に記載の木製封筒具。
【請求項３】
銜え溝部は、奥部から開口部に至るに伴い急峻な傾斜面で次第に広幅となっている肉厚書簡銜え部を開口部側に形成し、この肉厚書簡銜え部の奥部に連続させて、奥部から開口部に至るに伴い緩やかな傾斜面で次第に広幅となっている肉薄書簡銜え部を奥部側に形成し、両銜え部を溝の前後に連続させて配置してある請求項２記載の木製封筒具。
【請求項４】
収納凹部の開口部を閉塞したときの保持部位置に対応して、収納凹部の開口部縁には保持部を露出させる摘み切欠部を形成してある請求項３に記載の木製封筒具。
【請求項５】
書簡類を収納し、出し入れさせる開口部を有する扁平ボックス状の木製の封筒本体と、開口部を閉塞し、封緘する木製の封緘体とから成り、封筒本体は扁平平面の側部で細長い開口部を備えた収納凹部を有すると共に、この収納凹部の開口部内縁に制止突部を形成して成り、封緘体は封筒本体の収納凹部における開口部に位置してこれを閉塞すべく開口部形状に沿うように形成した封緘片の両端に、収納凹部の制止突部に係止する係止部を有し、書簡類を銜え込む保持部を設けて成り、また、保持部は、収納凹部の開口部を閉塞したときの収納凹部内部に位置する突部状を呈し、書簡類を銜え込む銜え溝部を形成してあって、この銜え溝部は、奥部から開口部に至るに伴い急峻な傾斜面で次第に広幅となっている肉厚書簡銜え部を開口部側に形成し、この肉厚書簡銜え部の奥部に連続させて、奥部から開口部に至るに伴い緩やかな傾斜面で次第に広幅となっている肉薄書簡銜え部を奥部側に形成し、両銜え部を溝の前後に連続させて配置してあり、収納凹部の開口部を閉塞したときの保持部位置に対応して、収納凹部の開口部縁には保持部を露出させる摘み切欠部を形成してあることを特徴とする木製封筒具。
【考案の詳細な説明】
【技術分野】
【０００１】
この考案は外観的に華麗、豪華な印象を与え得ることで、例えば婚礼、記念パーティー等の各種の慶祝用の招待状を封入、郵送するに好適なものとした木製封筒具に関する。
【背景技術】
【０００２】
従来、封筒は各種の書簡類を封入できるように、開封可能な開口部を有する袋状に形成され、封入する書簡類の厚さに対応するように偏平状のものとしたり、折り込みを設けることで立体状となるものとしたり等として構成されている。また、その素材の多くは、基本的には紙であり、近時は、合成樹脂製シートも使用されることで軽量化も図られている。ただ、こうした従来の封筒は、婚礼、各種の記念パーティー等の慶祝用の招待状の発送にも多く使用されているが、その発送する招待状の体裁が豪華で、華やかなものであっても、封筒それ自体は通常のものとは外観上それほど異ならないから、受取人において強く印象づけられるものではなかったのである。
【０００３】
こうした点を解消すべく本出願人は、特開平８−４０４４２号公報（特許文献１）として木製封筒を提案した。この木製封筒は、適宜肉厚の木製素材による板材を各側壁として使用することで、内部に所定の書簡が収納される収納凹部が形成されている偏平な直方体状に構成された封筒本体と、収納凹部の開口部を側壁と同効な木製素材による板材によって開封可能にして閉塞する封緘手段とを備えて成る。
【特許文献１】特開平８−４０４４２号公報
【考案の開示】
【考案が解決しようとする課題】
【０００４】
この従来提案の木製封筒によると、例えば桐材を素材とした封筒本体に書簡類を収納し、封緘手段にて閉塞し、投函した場合、これを受け取った宛名人にとって一般の紙製封筒が使用されたものとは異なり、強く印象づけられ、またその素材独自の風合いとも相俟ち好感を持たれたものとすることができた。ただ、送付される書簡類は扁平空洞状の収納空間を形成している封筒本体内に収納されるも、開封後に取り出すときに、収納書簡類を封筒本体内から簡単には取り出しにくいものであった。すなわち書簡類が封筒本体内に深く収納され、また封筒本体の開口部が扁平な長方形状であるために手指等がその開口部内に入りにくく、そのため封筒本体自体を開口部の深さ方向に沿って例えば繰り返し振ることで取り出さざるを得ず、その取り扱いは面倒でもあった。
【０００５】
そこでこの考案は叙上のような従来存した諸事情に鑑み案出されたもので、例えば素材として使用する桐材が有する素材独自の風合い、軽量性、堅牢性等を損なうことなく、それらを最大限に活かし、また書簡類の取り出し、収納作業等の取り扱いを容易にすることで従来品に認められた問題点を解決した木製封筒具を提供することを目的とする。
【課題を解決するための手段】
【０００６】
上述した課題を解決するため、この考案にあっては、書簡類Ｌを収納し、出し入れさせる開口部を有する扁平ボックス状の木製の封筒本体１と、開口部を閉塞し、封緘する木製の封緘体１０とから成り、封筒本体１は扁平平面の側部で細長い開口部を備えた収納凹部２を有すると共に、この収納凹部２の開口部内縁に制止突部８を形成して成り、封緘体１０は封筒本体１の収納凹部２における開口部に位置してこれを閉塞すべく開口部形状に沿うように形成した封緘片１１の両端に、収納凹部２の制止突部８に係止する係止部１２を有し、書簡類Ｌを銜え込む保持部１３を設けて成ることを特徴とする。
保持部１３は、収納凹部２の開口部を閉塞したときの収納凹部２内部に位置する突部状を呈し、書簡類Ｌを銜え込む銜え溝部１４を形成して構成することができ、この銜え溝部１４は、奥部から開口部に至るに伴い急峻な傾斜面で次第に広幅となっている肉厚書簡銜え部１４Ａを開口部側に形成し、この肉厚書簡銜え部１４Ａの奥部に連続させて、奥部から開口部に至るに伴い緩やかな傾斜面で次第に広幅となっている肉薄書簡銜え部１４Ｂを奥部側に形成し、両銜え部１４Ａ，１４Ｂを溝の前後に連続させて配置して構成することができる。
収納凹部２の開口部を閉塞したときの保持部１３位置に対応して、収納凹部２の開口部縁には保持部１３を露出させる摘み切欠部９を形成することができる。
【０００７】
以上のように構成されたこの考案に係る木製封筒具にあって、封筒本体１の扁平平面の側部に設けられた開口部を有する収納凹部２に、所定の書簡類Ｌを収納、出し入れさせ、またこの開口部は封緘体１０によって封緘されることで、各種の書簡類Ｌを郵送させる扁平ボックス状の封筒として使用させ、素材の風合いを印象づけさせる。
書簡類Ｌは封緘体１０の保持部１３によって銜え込み状に保持され、封緘体１０によって銜え込まれた書簡類Ｌは封緘体１０の封筒本体１に対するスライド閉塞、開閉によって、それと同時に封筒本体１内への書簡類Ｌの収納、封筒本体１からの取り出しを行わせ、扁平ボックス状の封筒本体１に対する書簡類Ｌの出し入れを容易にさせる。
肉厚書簡銜え部１４Ａ、肉薄書簡銜え部１４Ｂを備えた銜え溝部１４は、肉厚、肉薄な各種の書簡類Ｌをいずれであっても選択的に確実に銜えて保持させ、また銜え溝部１４内に書簡類Ｌを差し入れるだけで前後に配したいずれかの銜え部１４Ａ，１４Ｂに自動的に銜えさせ、使用者による選択操作を要しない。
また摘み切欠部９は、収納凹部２を閉塞している封緘体１０の保持部１３を露出させていることで、使用者の手指によって保持部１３を摘ませ、封筒本体１の対する封緘体１０の閉塞嵌め入れ、開放取り外しを行わせる。
【考案の効果】
【０００８】
この考案は以上説明したように構成されているため、例えば素材として使用する桐材が有する素材独自の風合い、軽量性、堅牢性等を損なうことなく、それらを最大限に活かした扁平ボックス状の封筒となすことができ、また扁平平面の側部に設けた開口部を経て、しかも封緘体１０に保持された書簡類Ｌをスライドさせることで書簡類の取り出し、収納作業等を迅速にでき、取り扱いを容易にするのである。
【０００９】
すなわちこれはこの考案において、開口部を有する扁平ボックス状の木製の封筒本体１と、開口部を閉塞し、封緘する木製の封緘体１０とから成り、封筒本体１は扁平平面の側部で細長い開口部を備えた収納凹部２を有すると共に、この収納凹部２の開口部内縁に制止突部８を形成して成り、封緘体１０は封筒本体１の収納凹部２における開口部に位置してこれを閉塞すべく開口部形状に沿うように形成した封緘片１１の両端に、収納凹部２の制止突部８に係止する係止部１２を有し、書簡類Ｌを銜え込む保持部１３を設けて成るからであり、これによって、軽量でありながら木目独特の風合いを有する書簡送付用の封筒とすることができ、封緘体１０による書簡類Ｌの保持で封筒本体１に対する出し入れ収納を容易にできる等の優れた効果を奏する。
【００１０】
また封緘体１０における封緘片１１は、収納凹部２の開口部形状に沿うよう細長く形成してあると共に、その端部に有する係止部１２は収納凹部２の開口部内縁に設けた制止突部８に係止するから、封緘体１０を収納凹部２の開口部に嵌め入れることで、封筒本体１の収納凹部２を確実に閉塞でき、更に封緘テープ１５等の貼付によってその封緘閉塞状態を保持できる。
【００１１】
封緘片１１の保持部１３は、収納凹部２の開口部を閉塞したときの収納凹部２内部に位置する突部状を呈し、書簡類Ｌを銜え込む銜え溝部１４を形成してあるから、書簡類Ｌを銜え溝部１４によって銜え込んだ状態で封緘体１０を封筒本体１に対して着脱することで、封筒本体１内に書簡類Ｌを出し入れできる。特に開封後に書簡類Ｌを取り出すとき、封緘体１０を摘んで封筒本体１内から取り外すことで、その取り外しと同時に書簡類Ｌを容易に取り出すことができる。しかも、保持部１３は封筒本体１に対する封緘体１０の閉塞時に封筒本体１に露出されているから、使用者の手指等によって簡単に摘むことができ、封緘体１０のスライド操作等を容易にさせることができる。
【００１２】
また保持部１３は、その銜え溝部１４が肉厚書簡銜え部１４Ａ、肉薄書簡銜え部１４Ｂを備えているから、肉厚、肉薄な各種の書簡類Ｌをいずれであっても選択的に確実に銜えて保持することができ、しかも銜え溝部１４内に書簡類Ｌを強制的にでも差し入れるだけで、肉厚書簡銜え部１４Ａ、肉薄書簡銜え部１４Ｂ夫々自体が奥部から開口部に至るに伴い次第に広幅となっていることと相俟ち、書簡類Ｌを銜え溝部１４内に差し入れるときの銜え溝部１４と書簡類Ｌ縁との位置合わせも容易にすると共に、銜え溝部１４の前後に配したいずれかの銜え部１４Ａ，１４Ｂに自動的に銜えさせるから、書簡類Ｌの肉厚の大小の相違に基づく使用者による選択を要しないので便利である。
【００１３】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１４】
以下図面を参照してこの考案を実施するための最良の一形態を説明すると、図において示される符号１は封筒本体であり、この封筒本体１は、適宜肉厚の木製素材による例えば所定肉厚の桐板材等の板材を各側壁３，４，５，６，７として使用することで、内部に所定の書簡類Ｌが収納される収納凹部２が形成されている偏平なほぼ直方体状に構成されている。すなわち、一般的な封筒の大きさとなる例えば１１８ｍｍ×１７５ｍｍ×１０ｍｍの横幅、縦幅、肉厚幅となるように例えば肉厚が２ｍｍ程度の板材を所定幅員、長さに設定して扁平ボックス状となるように適宜に組合せ、接着すること等によって形成される。もとよりこの封筒本体１の大きさは挨拶状用封筒となるいわゆる「洋２」型式に限るものではなく、小型封筒、大型封筒等と同様に収納し、送付する書簡類Ｌの大きさに対応して形成される。
【００１５】
収納凹部２は、封筒本体１における扁平平面の側部に細長い開口部を備え、書簡類Ｌを封筒本体１の側方からスライドさせて出し入れができるように、書簡類Ｌの平面大きさに相当する深さを有し、その開口部は書簡類Ｌの肉厚に比し相当に厚い幅員となる細長い矩形状を呈する。すなわち書簡類Ｌの平面における縦幅、横幅に比しやや大きい深さ、幅員を有し、書簡類Ｌをその平面に沿った方向で、書簡類Ｌの縦横の方向を問わずにスライドさせることで出し入れ可能なものとしている。
【００１６】
また収納凹部２の開口縁部におけるほぼ中央部には、開口部を閉塞した封緘体１０における後述する保持部１３を露出させ、これを摘ませるようにした摘み切欠部９を切欠状に形成してある。この摘み切欠部９は図示のように台形状に限らず半円形状、三角形状、矩形状その他に形成でき、要は封緘体１０の保持部１３を手指等にて直接に摘むことができるようになっていればよい。
【００１７】
各側壁３，４，５，６，７となる板材は、例えば桐材、バルサ材等の比重が小さい素材のものが主として使用され、特に軽量で比較的に堅牢である桐材が最も好適なものであり、場合によっては硬化剤等が注入、含浸されることで堅牢性の増大を図ることも可能である。なお、この桐材等を素材として使用することで、表面には、天然の木目、柾目、節目その他が自然に表現されており、独特な風合いを醸し出すようになっている。
【００１８】
また、封筒本体１は後述の封緘体１０との合計重量として、収納する書簡類Ｌ自体が有する重量を考慮して全体が通常の定形郵便物としての郵送料を超えない程度のものとなるように考慮してあり、そのため、軽量である桐材を素材とすることが好ましいも、素材がこれに限定されるものではない。
【００１９】
そして、この封筒本体１における細長い矩形状を呈する開口部は、この開口部に嵌め入れられるようにした封緘体１０によって、内部に収納する書簡類Ｌを封緘体１０自身で保持した状態で密封閉塞されるようにしてある。また、この封緘体１０は例えば封筒本体１と同効材にて形成され、封筒本体１の開口部位置で封筒本体１内方に必要以上に進入させないように所定位置で規制停止させる停止手段によって、封筒本体１にセットされたときには封筒本体１の開口部を体裁よく閉塞するように形成してある。そのため、図示例にあっては、封筒本体１の収納凹部２における開口部に位置してこれを閉塞すべく開口部形状に沿うよう例えば帯状に細長く形成した封緘片１１の両端に、収納凹部２の開口部内縁部位に突出状に形成されている制止突部８に係止する係止部１２を有し、書簡類Ｌを銜え込む保持部１３をほぼ中央に設けて成る。
【００２０】
停止手段たる制止突部８は、例えば封筒本体１における収納凹部２の開口縁部の対向した内側直近に位置させて、収納凹部２の内方側に相互に突出することで形成されており、図例にあっては細長い幅員すなわち封筒本体１の厚み方向に沿って配された側壁５，６の内側面にその内法幅員とほぼ同一幅員の細片部材を、収納凹部２の開口部縁に封緘片１１の肉厚に相当する分の隙間を配して貼着等することで形成してある。もとより、収納凹部２の開口部縁に所定の隙間が形成されるのであれば、この制止突部８はこのような細片に限定される必要はない。ただ、帯状の細片部材とすることで、側壁３，４との接合を確実にし、全体の堅牢性の向上にも役立つようにしてある。
【００２１】
封緘体１０の係止部１２は封緘片１１の端部自体としてあり、保持部１３は封緘片１１の中央部位で、収納凹部２の開口部を閉塞したときの収納凹部２内部に位置するように平面からみて台形、山形等の突部状を呈し、書簡類Ｌを銜え込む銜え溝部１４を形成してある。この銜え溝部１４は図３に示すように、奥部から開口部に至るに伴い急峻な傾斜面で次第に広幅となっている肉厚書簡銜え部１４Ａを開口部側に形成し、この肉厚書簡銜え部１４Ａの奥部に連続させて、奥部から開口部に至るに伴い緩やかな傾斜面で次第に広幅となっている肉薄書簡銜え部１４Ｂを奥部側に形成し、両銜え部１４Ａ，１４Ｂを溝の前後に連続させて配置して成る。また両銜え部１４Ａ，１４Ｂの連続部位における銜え挟み部分の左右、すなわち肉厚書簡銜え部１４Ａの最奥部端は若干の広幅員で空隙状となっていることで肉厚な書簡類Ｌを確実に銜えるようにしてある。同様に、肉薄書簡銜え部１４Ｂの最奥部端は狭幅員で空隙状となっていることで肉薄な書簡類Ｌを確実に銜えるようにしてある。尚、銜え部１４Ａ，１４Ｂ夫々のいずれの部位においても、銜え部１４Ａ，１４Ｂ夫々における書簡類Ｌの銜え面では書簡類Ｌに接触するようにしてあって、内部に書簡類Ｌが挿入配置されたときに書簡類Ｌを素材自体に生じている弾発性によって銜え込むようにしてあることが望ましい。
【００２２】
なお、場合によっては肉厚書簡銜え部１４Ａを保持部１３の奥部側に、肉薄書簡銜え部１４Ｂを開口部側に配することもできると共に、両銜え部１４Ａ，１４Ｂの左右面を細かい波形状等の粗面に形成しておくことで、書簡類Ｌの銜え込みを一層確実にするようにすることも可能である。
【００２３】
また封筒本体１の収納凹部２を閉塞した封緘体１０の抜脱を阻止するために、封筒本体１特にその摘み切欠部９縁部と封緘体１０面とに跨って貼付できる接着テープ等による封緘テープ１５が別に用意されている。この封緘テープ１５自体の素材は例えば紙、合成樹脂シートその他のものとし、表面には必要があれば各種の模様、イラスト、キャラクターその他を表示してあって、例えば剥離自在な剥離紙によって接着面を保護しておいて、その剥離紙の剥離によって貼付できるようにしてある。
【００２４】
次にこれの使用の一例を説明すると、例えば各種パーティー、会合、婚礼その他の案内状・招待状等として郵送する書簡類Ｌを封筒本体１の平面大きさのものとして用意しておき、封緘体１０の保持部１３における銜え溝部１４内にやや強制的にでも銜え込ませるように差し入れる。次いで銜え込んで保持した書簡類Ｌを、その自由端側から収納凹部２内に挿入し、封緘体１０の封緘片１１における係止部１２を制止突部８端に当接させることで封緘体１０によって収納凹部２の開口部を閉塞する。その後、封緘テープ１５の貼付によって封緘体１０を封筒本体１に固定する一方、封筒本体１面に郵送先を表示し、投函すればよい。
【００２５】
郵送先においては、受領後に封緘テープ１５を剥がして開封し、封緘体１０の保持部１３を摘んで封筒本体１から封緘体１０を取り外すことで書簡類Ｌを取り出せばよい。開封取り出し後は封筒本体１、封緘体１０自体を適当に二次使用例えばメモ用紙入れ、貴重な各種小書類等の保管容器、その他として利用することもできる。特に封筒本体１自体が木目のある桐材を素材として形成してあることで、高級感がある故に受領者においては郵送された書簡類Ｌに対する印象が強く、長く記憶にとどめておくことで送付者に対する印象を良好にすることも可能であると共に、これの再利用も一層容易で、メモリアルグッズとしての利用も促進させる。
【図面の簡単な説明】
【００２６】
【図１】この考案を実施するための最良の形態を示す一部切欠分解斜視図である。
【図２】同じく一部を省略した拡大断面図である。
【図３】同じく書簡を銜えて保持している状態を示す断面図で、その（Ａ）は比較的に肉薄な書簡を、（Ｂ）は肉厚な書簡を夫々保持しているときのものである。
【図４】同じく投函する場合等の封緘時の斜視図である。
【符号の説明】
【００２７】
Ｌ…書簡類
１…封筒本体                            ２…収納凹部
３，４，５，６，７…側壁                ８…制止突部
９…摘み切欠部
１０…封緘体                            １１…封緘片
１２…係止部                            １３…保持部
１４…銜え溝部                          １４Ａ…肉厚書簡銜え部
１４Ｂ…肉薄書簡銜え部                  １５…封緘テープ
【図１】
0003113483.tif 000003
【図２】
0003113483.tif 000004
【図３】
0003113483.tif 000005
【図４】
0003113483.tif 000006